【事件の表示】
　特許第２８１４０８５号「養毛料」の特許に対する特許異議の申立てについて、次のとおり決定する。
【結　論】
　訂正を認める。
　特許第２８１４０８５号の請求項１ないし５に係る特許を維持する。
【理　由】
　　　　　理　　　　　　　由
（１）手続の経緯
　本件特許第２８１４０８５号発明は、昭和６３年８月１１日に特許出願され、平成１０年８月１４日にその特許の設定登録がなされ、その後、小野信夫及び第一製薬株式会社より特許異議の申し立てがなされ、当審により取り消し理由通知がなされ、その指定期間内である平成１２年６月８日に、訂正明細書のとおり、すなわち、下記のとおり訂正することを内容とする訂正請求がなされたものである。
（２）訂正の内容
訂正事項１：【特許請求の範囲】の【請求項１】の記載、「アオギリ、アンマロク、ウバイ、イラクサ、オオクリハラン、オオギ、オウロ、カッコン、グバク、ケイヒ、ゲドクシ、コソウ、ゴミン、コブシ、サンキュウ、テウチグルミ、セイコウ、サンショウ、ドクヨウイッシカ、ショウブ、ショウバク、シラカバ、ニレ、リョウキョウ、リュウヨウ、ヨチシ、ホコツシ、トウヨウ、ヒャクゴウ、レン、モクセイ、ハンミョウ、フヒョウ、マクワウリ、ハクコウ、ハンゲ、ハクショウ、ハクヨウからなる群から選ばれる生薬を、熱水、アルコール、含水アルコールから選ばれる溶媒で抽出して得られる抽出エキス又はその濃縮乾燥物の一種又は二種以上を含有してなる養毛料。」を、「アオギリ、アンマロク、ウバイ、オオクリハラン、オオギ、オウロ、カッコン、グバク、ケイヒ、ゲドクシ、コソウ、ゴミン、コブシ、サンキュウ、テウチグルミ、セイコウ、ドクヨウイッシカ、ショウブ、ショウバク、ニレ、リョウキョウ、リュウヨウ、ヨチシ、トウヨウ、ヒャクゴウ、レン、モクセイ、ハンミョウ、フヒョウ、マクワウリ、ハクコウ、ハンゲ、ハクショウからなる群から選ばれる生薬を、熱水、アルコール、含水アルコールから選ばれる溶媒で抽出して得られる抽出エキス又はその濃縮乾燥物の一種又は二種以上を含有してなる養毛料。」と訂正する。
訂正事項２：【特許請求の範囲】の【請求項２】の記載、「アオギリ、アンマロク、ウバイ、イラクサ、オオクリハラン、オオギ、オウロ、カッコン、グバク、ケイヒ、ゲドクシ、ゴカヒ、コソウ、ゴミン、コブシ、コノテガシワ、サンキュウ、チンピ、テウチグルミ、セイコウ、サンショウ、ドクヨウイッシカ、ショウブ、ショウバク、シラカバ、ニレ、リョウキョウ、リュウヨウ、ヨチシ、ホコツシ、トウヨウ、ヒャクゴウ、レン、モクセイ、ハンミョウ、フヒョウ、マクワウリ、ハクコウ、ハンゲ、ハクセン、ハクショウ、ハクヨウからなる群から選ばれる生薬を、熱水、アルコール、含水アルコールから選ばれる溶媒で抽出して得られる抽出エキス又はその濃縮乾燥物の一種又は二種以上と、・・・」を、「アオギリ、アンマロク、ウバイ、オオクリハラン、オオギ、オウロ、カッコン、グバク、ケイヒ、ゲドクシ、ゴカヒ、コソウ、ゴミン、コブシ、コノテガシワ、サンキュウ、チンピ、テウチグルミ、セイコウ、サンショウ、ドクヨウイッシカ、ショウブ、ショウバク、ニレ、リョウキョウ、リュウヨウ、ヨチシ、トウヨウ、ヒャクゴウ、レン、モクセイ、ハンミョウ、フヒョウ、マクワウリ、ハクコウ、ハンゲ、ハクセン、ハクショウからなる群から選ばれる生薬を、熱水、アルコール、含水アルコールから選ばれる溶媒で抽出して得られる抽出エキス又はその濃縮乾燥物の一種又は二種以上と、・・・」と訂正する。
訂正事項３：【特許請求の範囲】の【請求項３】の記載、「アオギリ、アンマロク、ウバイ、イラクサ、オオクリハラン、オオギ、オウロ、カッコン、グバク、ケイヒ、ゲドクシ、ゴカヒ、コソウ、ゴミン、コブシ、コノテガシワ、サンキュウ、チンピ、テウチグルミ、セイコウ、サンショウ、ドクヨウイッシカ、ショウブ、ショウバク、シラカバ、ニレ、リョウキョウ、リュウヨウ、ヨチシ、ホコツシ、トウヨウ、ヒャクゴウ、レン、モクセイ、ハンミョウ、フヒョウ、マクワウリ、ハクコウ、ハンゲ、ハクセン、ハクショウ、ハクヨウからなる群から選ばれる生薬を、熱水、アルコール、含水アルコールから選ばれる溶媒で抽出して得られる抽出エキス又はその濃縮乾燥物の一種又は二種以上と、・・・」を、「アオギリ、アンマロク、ウバイ、オオクリハラン、オオギ、オウロ、カッコン、グバク、ケイヒ、ゲドクシ、ゴカヒ、コソウ、ゴミン、コブシ、コノテガシワ、サンキュウ、チンピ、テウチグルミ、セイコウ、ドクヨウイッシカ、ショウブ、ショウバク、ニレ、リョウキョウ、リュウヨウ、ヨチシ、トウヨウ、ヒャクゴウ、レン、モクセイ、ハンミョウ、フヒョウ、マクワウリ、ハクコウ、ハンゲ、ハクセン、ハクショウからなる群から選ばれる生薬を、熱水、アルコール、含水アルコールから選ばれる溶媒で抽出して得られる抽出エキス又はその濃縮乾燥物の一種又は二種以上と、・・・」と訂正する。
訂正事項項４：【特許請求の範囲】の【請求項４】の記載、「アオギリ、アンマロク、ウバイ、イラクサ、オオクリハラン、オオギ、オウロ、カッコン、グバク、ケイヒ、ゲドクシ、ゴカヒ、コソウ、ゴミン、コブシ、コノテガシワ、サンキュウ、チンピ、テウチグルミ、セイコウ、サンショウ、ドクヨウイッシカ、ショウブ、ショウバク、シラカバ、ニレ、リョウキョウ、リュウヨウ、ヨチシ、ホコツシ、トウヨウ、ヒャクゴウ、レン、モクセイ、ハンミョウ、フヒョウ、マクワウリ、ハクコウ、ハンゲ、ハクセン、ハクショウ、ハクヨウからなる群から選ばれる生薬抽出物の一種又は二種以上と、・・・」を、「アオギリ、アンマロク、ウバイ、オオクリハラン、オオギ、オウロ、カッコン、グバク、ケイヒ、ゲドクシ、ゴカヒ、コソウ、ゴミン、コブシ、コノテガシワ、サンキュウ、チンピ、テウチグルミ、セイコウ、ドクヨウイッシカ、ショウブ、ショウバク、ニレ、リョウキョウ、リュウヨウ、ヨチシ、トウヨウ、ヒャクゴウ、レン、モクセイ、ハンミョウ、フヒョウ、マクワウリ、ハクコウ、ハンゲ、ハクセン、ハクショウからなる群から選ばれる生薬抽出物の一種又は二種以上と、・・・」と訂正する。
訂正事項５：特許掲載公報第２８１４０８５号の第３頁第５欄第２３行〜第６欄第２行の「すなわち請求項１記載の発明は、アオギリ、アンマロク、ウバイ、イラクサ、オオクリハラン、オオギ、オウロ、カッコン、グバク、ケイヒ、ゲドクシ、コソウ、ゴミン、コブシ、サンキュウ、テウチグルミ、セイコウ、サンショウ、ドクヨウイッシカ、ショウブ、ショウバク、シラカバ、ニレ、リョウキョウ、リュウヨウ、ヨチシ、ホコツシ、トウヨウ、ヒャクゴウ、レン、モクセイ、ハンミョウ、フヒョウ、マクワウリ、ハクコウ、ハンゲ、ハクショウ、ハクヨウからなる群から選ばれる生薬を、熱水、アルコール、含水アルコールから選ばれる溶媒で抽出して得られる抽出エキス又はその濃縮乾燥物の一種又は二種以上を含有してなる養毛料である。」を、「すなわち請求項１記載の発明は、アオギリ、アンマロク、ウバイ、オオクリハラン、オオギ、オウロ、カッコン、グバク、ケイヒ、ゲドクシ、コソウ、ゴミン、コブシ、サンキュウ、テウチグルミ、セイコウ、ドクヨウイッシカ、ショウブ、ショウバク、ニレ、リョウキョウ、リュウヨウ、ヨチシ、トウヨウ、ヒャクゴウ、レン、モクセイ、ハンミョウ、フヒョウ、マクワウリ、ハクコウ、ハンゲ、ハクショウからなる群から選ばれる生薬を、熱水、アルコール、含水アルコールから選ばれる溶媒で抽出して得られる抽出エキス又はその濃縮乾燥物の一種又は二種以上を含有してなる養毛料である。」と訂正する。
訂正事項６：特許掲載公報２８１４０８５号の第３頁第６欄第３行の「請求項２記載の発明は、請求項１記載の生薬の・・・」を、「請求項２記載の発明は、アオギリ、アンマロク、ウバイ、オオクリハラン、オオギ、オウロ、カッコン、グバク、ケイヒ、ゲドクシ、ゴカヒ、コソウ、ゴミン、コブシ、コノテガシワ、サンキュウ、チンピ、テウチグルミ、セイコウ、サンショウ、ドクヨウイッシカ、ショウブ、ショウバク、ニレ、リョウキョウ、リュウヨウ、ヨチシ、トウヨウ、ヒャクゴウ、レン、モクセイ、ハンミョウ、フヒョウ、マクワウリ、ハクコウ、ハンゲ、ハクセン、ハクショウからなる群から選ばれる生薬の・・・」と訂正する。
訂正事項７：特許掲載公報第２８１４０８５号の第３頁第６欄第１１行の「請求項３記載の発明は、請求項１記載の生薬の・・・」を、「請求項３記載の発明は、アオギリ、アンマロク、ウバイ、オオクリハラン、オオギ、オウロ、カッコン、グバク、ケイヒ、ゲドクシ、ゴカヒ、コソウ、ゴミン、コブシ、コノテガシワ、サンキュウ、チンピ、テウチグルミ、セイコウ、ドクヨウイッシカ、ショウブ、ショウバク、ニレ、リョウキョウ、リュウヨウ、ヨチシ、トウヨウ、ヒャクゴウ、レン、モクセイ、ハンミョウ、フヒョウ、マクワウリ、ハクコウ、ハンゲ、ハクセン、ハクショウからなる群から選ばれる生薬の・・・」と訂正する。
訂正事項８：特許掲載公報第２８１４０８５号の第３頁第６欄第２１行〜第３１行の「請求項４の発明は、アオギリ、アンマロク、ウバイ、イラクサ、オオクリハラン、オオギ、オウロ、カッコン、グバク、ケイヒ、ゲドクシ、ゴカヒ、コソウ、ゴミン、コブシ、コノテガシワ、サンキュウ、チンピ、テウチグルミ、セイコウ、サンショウ、ドクヨウイッシカ、ショウブ、ショウバク、シラカバ、ニレ、リョウキョウ、リュウヨウ、ヨチシ、ホコツシ、トウヨウ、ヒャクゴウ、レン、モクセイ、ハンミョウ、フヒョウ、マクワウリ、ハクコウ、ハンゲ、ハクセン、ハクショウ、ハクヨウからなる群から選ばれる生薬抽出物の一種又は二種以上と、・・・」を、「請求項４の発明は、アオギリ、アンマロク、ウバイ、オオクリハラン、オオギ、オウロ、カッコン、グバク、ケイヒ、ゲドクシ、ゴカヒ、コソウ、ゴミン、コブシ、コノテガシワ、サンキュウ、チンピ、テウチグルミ、セイコウ、ドクヨウイッシカ、ショウブ、ショウバク、ニレ、リョウキョウ、リュウヨウ、ヨチシ、トウヨウ、ヒャクゴウ、レン、モクセイ、ハンミョウ、フヒョウ、マクワウリ、ハクコウ、ハンゲ、ハクセン、ハクショウからなる群から選ばれる生薬抽出物の一種又は二種以上と、・・・」と訂正する。
訂正事項９：特許掲載公報第２８１４０８５号の第６頁第１１欄第２５行〜第２８行の「実施例５
(1)ジメチルステアリルアミンオキシド　　　　　0.1
(2)ハクヨウのメタノール抽出物（乾燥物）　　　0.1
(3)75%エタノール　　　　　　　　　　　　　残余」　　を削除する。
訂正事項１０：特許掲載公報２８１４０８５号の第６頁第１１欄第２９行の「実施例　６」を、「実施例　５」と訂正する。
訂正事項１１：特許掲載公報第２８１４０８５号の第６頁第１１欄第３３行〜第３７行の「実施例７
(1)ジメチルステアリルアミンオキシド　　　　　0.1
(2)ホコツシの１，３−ブチレングリコール抽出物（乾燥物）　0.1
(3)75%エタノール　　　　　　　　　　　　　　残余」
を削除する。
訂正事項１２：特許掲載公報２８１４０８５号の第６頁第１１欄第３８行の「実施例　８」を、「実施例　６」と訂正する。
訂正事項１３：特許掲載公報２８１４０８５号の第６頁第１１欄第４３行の「実施例　９」を、「実施例　７」と訂正する。
訂正事項１４：特許掲載公報第２８１４０８５号の第６頁第１１欄第４８行〜第１２欄第２行の「実施例　１０
(1)ジメチルステアリルアミンオキシド　　　　　0.075
(2)ラウリル硫酸ナトリウム　　　　　　　　　　0.025
(3)シラカバの熱水抽出物（乾燥物）　　　　   0.1
(4)75%エタノール　　　　　　　　　　　　　　残余」
を削除する。
訂正事項１５：特許掲載公報２８１４０８５号の第６頁第１２欄第３行の「実施例　１１」を、「実施例　８」と訂正する。
訂正事項１６：特許掲載公報２８１４０８５号の第６頁第１２欄第８行の「実施例　１２」を、「実施例　９」と訂正する。
訂正事項１７：特許掲載公報２８１４０８５号の第６頁第１２欄第１５行の「実施例　１３」を、「実施例　１０」と訂正する。
訂正事項１８：特許掲載公報２８１４０８５号の第６頁第１２欄第２３行の「実施例　１４」を、「実施例　１１」と訂正する。
訂正事項１９：特許掲載公報２８１４０８５号の第６頁第１２欄第３０行の「実施例　１５」を、「実施例　１２」と訂正する。
訂正事項２０：特許掲載公報２８１４０８５号の第６頁第１２欄第３７行の「実施例　１６」を、「実施例　１３」と訂正する。
訂正事項２１：特許掲載公報２８１４０８５号の第６頁第１２欄第４４行の「実施例　１７」を、「実施例　１４」と訂正する。
訂正事項２２：特許掲載公報２８１４０８５号の第７頁第１３欄第２行の「実施例　１８」を、「実施例　１５」と訂正する。
訂正事項２３：特許掲載公報２８１４０８５号の第７頁第１３欄第１０行の「実施例　１９」を、「実施例　１６」と訂正する。
訂正事項２４：特許掲載公報第２８１４０８５号の第７頁第１３欄第１８行の「表−１・・・」を、「
　表−１　各試料の毛再生面積（２０日後）
      　試料      　毛再生面積           
      比較例１    　　　１０％ 
      比較例２    　　　２０   
      比較例３    　　　１８   
      比較例４    　　　２３   
      比較例５    　　　１６   
      実施例１    　　　３０   
      実施例２    　　　３３   
      実施例３    　　　３９   
      実施例４    　　　４４   
      実施例５    　　　５０   
      実施例６    　　　５９   
      実施例７    　　　７１   
      実施例８    　　　７６   
      実施例９    　　　８８   
      実施例１０  　　　９２   
      実施例１１  　　　９４   
      実施例１２  　　　９５   
      実施例１３  　　　９３   
      実施例１４  　　　９７   
      実施例１５  　　　９５   
      実施例１６  　　　９８    」
と訂正する。
　　　
訂正事項２５：特許掲載公報第２８１４０８５号の第７頁第１３欄第４８行の「実施例　２０」を、「実施例　１７」と訂正する。
訂正事項２６：特許掲載公報第２８１４０８５号の第８頁第１５欄第５行の「実施例　２１」を、「実施例　１８」と訂正する。
訂正事項２７：特許掲載公報第２８１４０８５号の第８頁第１５欄第１９行の「実施例　２２」を、「実施例　１９」と訂正する。
訂正事項２８：特許掲載公報第２８１４０８５号の第８頁第１５欄第３４行から第１６欄第１行の「実施例　２３　リンス
(1)ステアリルトリメチルアンモニウムクロリド　　　　　　　　1.5
(2)セチルアルコール　　　　　　　　　　　　　　　　　　　　2.0
(3)シリコン油　　　　　　　　　　　　　　　　　　　　　　　3.0
(4)ポリオキシエチレン(10モル）オレイルアルコールエーテル　1.0
(5)グリセリン　　　　　　　　　　　　　　　　　　　　　　　5.0
(6)ウバイのメタノール抽出物（乾燥物）　　　　　　　　　　　0.5
(7)ハクセンのメタノール抽出物（乾燥物）　　　　　　　　　　0.5
(8)ホコツシの熱水抽出物（乾燥物）　　　　　　　　　　　　　1.0
(9)フヒョウの70%エタノール抽出物（乾燥物）　　　　　　　　1.0
(10)精製水　　　　　　　　　　　　　　　　　　　　　　　　84.0
(11)防腐剤　　　　　　　　　　　　　　　　　　　　　　　　適量     
(12)紫外線吸収剤　　　　　　　　　　　　　　　　　　　　　適量
」を削除する。
訂正事項２９：特許掲載公報２８１４０８５号の第８頁第１６欄第１４行の「実施例　２４」を「実施例　２０」と訂正する。
訂正事項３０：特許掲載公報２８１４０８５号の第８頁第１６欄第２９行の「実施例２１〜２４は、いずれも養毛効果に優れていた。」を「実施例１８〜２０は、いずれも養毛効果に優れていた。」と訂正する。
（３）訂正の適否についての判断
　そこで、これらの訂正事項について検討すると、上記の訂正事項１〜４は、特許請求の範囲の減縮を目的とするものであり、訂正事項５〜３０は訂正事項１〜４による特許請求の範囲の減縮にともなって、記載内容を整合させるものであるから、不明りょうな記載の釈明を目的とするものである。
　そして、上記の各訂正事項は、特許明細書に記載された事項の範囲内のものであって、かつ、実質上特許請求の範囲を拡張し又は変更するものではない。
　また、下記（４）に示す理由により、訂正後の特許請求の範囲の請求項１に係る発明が、特許出願の際独立して特許を受けることができない発明であるとはいえない。
　以上のとおりであるから、上記訂正請求は、特許法第１２０条の４第２項及び同条第３項で準用する第１２６条第２乃至４項の規定に適合するので、当該訂正を認める。
（４）特許異議の申立てについての判断　
ア．本件発明
　訂正後の特許請求の範囲の請求項１〜５に係る発明は、以下のとおりのものである。
「【請求項１】アオギリ、アンマロク、ウバイ、オオクリハラン、オオギ、オウロ、カッコン、グバク、ケイヒ、ゲドクシ、コソウ、ゴミン、コブシ、サンキュウ、テウチグルミ、セイコウ、ドクヨウイッシカ、ショウブ、ショウバク、ニレ、リョウキョウ、リュウヨウ、ヨチシ、トウヨウ、ヒャクゴウ、レン、モクセイ、ハンミョウ、フヒョウ、マクワウリ、ハクコウ、ハンゲ、ハクショウからなる群から選ばれる生薬を、熱水、アルコール、含水アルコールから選ばれる溶媒で抽出して得られる抽出エキス又はその濃縮乾燥物の一種又は二種以上を含有してなる養毛料。
【請求項２】アオギリ、アンマロク、ウバイ、オオクリハラン、オオギ、オウロ、カッコン、グバク、ケイヒ、ゲドクシ、ゴカヒ、コソウ、ゴミン、コブシ、コノテガシワ、サンキュウ、チンピ、テウチグルミ、セイコウ、サンショウ、ドクヨウイッシカ、ショウブ、ショウバク、ニレ、リョウキョウ、リュウヨウ、ヨチシ、トウヨウ、ヒャクゴウ、レン、モクセイ、ハンミョウ、フヒョウ、マクワウリ、ハクコウ、ハンゲ、ハクセン、ハクショウからなる群から選ばれる生薬を、熱水、アルコール、含水アルコールから選ばれる溶媒で抽出して得られる抽出エキス又はその濃縮乾燥物の一種又は二種以上と、カルボン酸基、スルホン酸基、硫酸エステル基、リン酸エステル基を分子内に一種又は二種以上有するアニオン性界面活性剤の一種又は二種以上と、窒素原子を分子内に有する両性界面活性剤、半極性界面活性剤、非イオン性界面活性剤、カチオン性界面活性剤の一種又は二種以上とを含有することを特徴とする養毛料。
【請求項３】アオギリ、アンマロク、ウバイ、オオクリハラン、オオギ、オウロ、カッコン、グバク、ケイヒ、ゲドクシ、ゴカヒ、コソウ、ゴミン、コブシ、コノテガシワ、サンキュウ、チンピ、テウチグルミ、セイコウ、ドクヨウイッシカ、ショウブ、ショウバク、ニレ、リョウキョウ、リュウヨウ、ヨチシ、トウヨウ、ヒャクゴウ、レン、モクセイ、ハンミョウ、フヒョウ、マクワウリ、ハクコウ、ハンゲ、ハクセン、ハクショウからなる群から選ばれる生薬を、熱水、アルコール、含水アルコールから選ばれる溶媒で抽出して得られる抽出エキス又はその濃縮乾燥物の一種又は二種以上と、カルボキシベタイン、イミダゾリン誘導体、アミノカルボン酸、スルホベタイン、アミノベタイン、ジメチルラウリルアミンオキシド、ビス−（２−ヒドロキシエチル）ラウリルアミンオキシドの一種又は二種以上と、脂肪酸アルカノールアミド、ポリオキシエチレン脂肪酸アミド、アルカノールアミンのエステル、ポリオキシエチレンアルキルアミンの一種又は二種以上を含有することを特徴とする養毛料。
【請求項４】アオギリ、アンマロク、ウバイ、オオクリハラン、オオギ、オウロ、カッコン、グバク、ケイヒ、ゲドクシ、ゴカヒ、コソウ、ゴミン、コブシ、コノテガシワ、サンキュウ、チンピ、テウチグルミ、セイコウ、ドクヨウイッシカ、ショウブ、ショウバク、ニレ、リョウキョウ、リュウヨウ、ヨチシ、トウヨウ、ヒャクゴウ、レン、モクセイ、ハンミョウ、フヒョウ、マクワウリ、ハクコウ、ハンゲ、ハクセン、ハクショウからなる群から選ばれる生薬抽出物の一種又は二種以上と、一般式（Ａ）（式略）
一般式（Ｂ）（式略）
又は一般式（Ｃ）（式略）
で表されるアミンオキシドの一種又は二種以上とを含有することを特徴とする養毛料。
【請求項５】前記生薬抽出物は、前記群から選ばれる生薬を、熱水、アルコール、含水アルコールから選ばれる溶媒で抽出して得られる抽出エキス又はその濃縮乾燥物であることを特徴とする請求項４に記載の養毛料。」
イ．申立ての理由の概要
　特許異議申立人小野信夫（以下、「特許異議申立人Ａ」という。）は、甲第１号証（フレグランスジャーナル臨時増刊「香粧品の植物科学−植物成分の開発と有効利用−」No.6(1986)、第１９１頁〜第２００頁（フレグランスジャーナル社））、甲第２号証（「メッセゲ氏の薬草療法」第１９９〜２０１頁、モーリス・メッセゲ著、高山林太郎訳（自然の友社））、甲第３号証（スペイン国特許公開公報（公開番号第８７０８１１６号、公開日１９８７年１２月１日、出願番号第５５５，１５０号））、甲第４号証（特開昭５９−１５５３０７号公報）、甲第５号証（特開昭６１−１５５３１０号公報）及び甲第６号証（フレグランスジャーナル臨時増刊「香粧品の植物科学−植物成分の開発と有効利用−」No.6(1986)、第４４頁〜第５２頁（フレグランスジャーナル社））を提出し、訂正前の特許請求の範囲の請求項１〜５に係る発明は、上記甲第１号証〜甲第４号証に記載された発明であるから、特許法第２９条第１項第３号の規定に該当し、特許を受けることができず、また同請求項１〜５に係る発明は甲第１号証〜甲第５号証に記載された発明に基づいて当業者が容易に発明することができたものであるから、特許法第２９条第２項の規定により特許を受けることができないものであり、したがって、本件請求項１〜５に係る発明の特許は、特許法第１１３条第１項第２号の規定に該当し、取り消されるべきものであると主張する。
　また、特許異議申立人第一製薬株式会社（以下、「特許異議申立人Ｂ」という。）は、甲第１号証（特開昭５４−８４０３８号公報）、甲第２号証（中薬大辞典　第三巻（昭和６０年１２月１０日発行）、株式会社　小学館）、甲第３号証（中薬大辞典　第四巻（昭和６０年１２月１０日発行）、株式会社　小学館）、甲第４号証（薬学大事典　第１版（１９８２年６月２０日発行）日本工業技術連盟）、甲第５号証（第十一改正　日本薬局方解説書（昭和６１年７月１８日発行）株式会社　廣川書店）、甲第６号証（東京高裁平成８年行（ケ）第２０１号判決）及び甲第７号証（化学関連分野における審査の運用に関する事例集（案））を提出し、訂正前の特許請求の範囲の請求項１に係る発明は、上記甲第１〜５号証に記載された発明であるから、特許法第２９条第１項第３号の規定に該当し、特許を受けることができず、また同請求項１に係る発明は甲第１〜５号証に記載された発明に基づき、当業者が容易になし得た程度のものであるから、特許法第２９条第２項の規定により特許を受けることができないものであり、さらに同請求項１〜５に係る発明は、その記載に不備があり、特許法第３６条第３項に規定する要件を満たしておらず、したがって、本件請求項１〜５に係る発明の特許は、特許法第１１３条第１項第２号又は第４号の規定に該当し、取り消されるべきものであると主張する。
ウ．甲号各証の発明
　特許異議申立人Ａが提出した甲第１号証には、その第１９６頁、表４においてイラクサ（表中、第３行目）およびシラカバ（同第１３行目）に養毛作用があること、及びこれらが化粧品に配合されていることが記載され、同じく甲第２号証には、その第２０１頁、上段、第１２〜１６行に、シラカバの樹皮の煎剤に樹液を加えて得たローションを養毛剤（抜け毛防止用）として用いることが記載され、同じく甲第３号証には、その「要約」及び「特許請求の範囲」の欄に、シラカバ及びイラクサのアルコール抽出物を含む頭髪再生用エタノール溶液の発明が開示され、同じく甲第４号証には、バーチ（しらかば）の極性溶媒抽出エキスとコラーゲンを含有する毛髪化粧料が記載（特許請求の範囲）され、抽出が常温若しくは熱時下で行われること、抽出溶媒としてメタノール、エタノール、プロピレングリコール、１，３−ブチレングリコール、グリセリンおよび水が用いられることが記載（第２頁、左上欄、第８〜１７行）され、さらにアニオン性界面活性剤，両性界面活性剤、非イオン性界面活性剤、カチオン界面活性剤を配合できることが記載（第４頁、左上欄、第２行〜第５頁、右下欄、第７行）され、同じく甲第５号証には、窒素含有陰イオン界面活性剤、窒素含有非イオン界面活性剤、又は窒素含有両性界面活性剤と、奇数鎖長脂肪酸若しくは奇数鎖長脂肪族アルコール又はこれらの誘導体とを含む毛髪化粧料組成物が記載（特許請求の範囲）され、「養育毛効果発現物質である奇数鎖長脂肪酸若しくは奇数鎖長脂肪族アルコール又はこれらの誘導体が窒素含有イオン、非イオン、又は両性界面活性剤と共に配合されているので、養育毛効果発現物質の毛根への浸透が促進され、また、化粧料をすすいだ後も、養育毛効果発現物質が頭皮及び毛髪上に多く残存するので、優れた養育毛効果を発揮することができる。」と記載（第２頁、右上欄、第６〜１５行）され、同じく甲第６号証には、その第４７頁以降の「４．ヘアケア製品への植物成分の配合性」の欄には、植物成分をヘアケア製品の原料とするにあたっての留意点が述べられており、第５１頁、右欄、表の下、第２〜５行には、「通常、植物エキスはこのため溶媒として水を使用した例は少なく、エタノール、プロピレングリコール、グリセリン、１，３−ブチレングリコールなどが用いられ、かつ製造工程中に穏和な加熱工程を設けている例もある。」と記載され、また、特許異議申立人Ｂが提出した甲第１号証には、山椒の実、皮の成分をエタノールで抽出したものが養、育毛料として効果を示すことが記載され、同じく甲第２号証には、ハクヨウ（ソクハクヨウの異名）の６０％アルコール浸出液が禿髪（脱毛）の治療に有効であることが記載（第１６２１頁、左欄）され、同じく甲第３号証には、５０％ホコツシ注射液が禿髪（脱毛）の治療に有効であることが記載（第２４２３頁、左欄）され、同じく甲第４号証には、「エキス　ｅｘｔｒａｃｔ　本来は植物などの試料を溶媒で抽出することであるが、抽出したものを濃縮し溶媒をある程度除いたものをエキスと呼ぶ。日局で規定するエキスは、水抽出エキス、アルコール抽出エキス、エーテル抽出エキスの３種であり、・・・これは濃縮の度合いに応じて流エキス剤、軟エキス剤、乾燥エキス剤などにわけられる。」（第６１頁左欄）と記載され、同じく甲第５号証には、第Ａ−５３頁〜第Ａ−５５頁にかけて、エキス剤の解説が記載されており、そこにはエキス剤が生薬の浸出液を濃縮して製したものであること、浸出液の調整は、冷浸（１５〜２５°）、温浸（３５〜４５°）等で行うこと、浸出剤としては、水、エタノールと水の混液、アセトン、エーテルなどが使われることが記載され、同じく甲第６号証には、医薬用途発明に関する薬理効果の記載の程度についての東京高裁の判決が記載され、同じく甲第７号証には、特許庁審査基準室が公表した「化学関連分野における審査の運用に関する事例集（案）」が記載され、制吐剤に関する発明についての説明が記載されている。
エ．判断
（特許法第２９条第１項第３号について）
　上記訂正により訂正後の請求項１に係る発明からは、イラクサ、サンショウ、シラカバ、ホコツシ及びハクヨウは、対象とする生薬から削除されたところ、特許異議申立人Ａの提出した甲第１号証は、イラクサとシラカバに養毛作用があることを記載するのみであり、同じく甲第２号証は、シラカバの抜け毛防止作用を記載するのみであり、同じく甲第３号証は、シラカバ及びイラクサの頭髪再生作用を記載するのみであり、同じく甲第４号証は、シラカバを毛髪化粧料に配合することを記載するのみであり、特許異議申立人Ｂの提出した甲第１号証は山椒（サンショウ）のエキスによる養、育毛液を記載するのみであり、同じく甲第２号証は、ハクヨウが禿髪（脱毛）の治療に有効であることを記載するのみであり、同じく甲第３号証は、ホコツシが禿髪（脱毛）の治療に有効であることを記載するのみであり、同じく甲第４及び５号証は、エキスを一般的に説明するのみであるから、いずれも訂正後の請求項１に係る発明では用いられることのない生薬を記載するものであって、訂正後の請求項１に係る発明は、いずれの上記各甲号証にも記載された発明とはいえないものである。
　また、上記訂正により訂正後の請求項２に係る発明は、特定の生薬を、アニオン性界面活性剤の一種又は二種以上と窒素原子を分子内に有する両面活性剤、半極性界面活性剤、非イオン性界面活性剤、カチオン性界面活性剤の一種又は二種以上とを組み合わせて配合する養毛剤であるところ、上記甲号各証には、特定の二種の界面活性剤を組み合わせ使用することは記載されていないのであるから、訂正後の請求項２に係る発明は、いずれの上記甲号各証にも記載された発明とはいえないものである。
　また、上記訂正により訂正後の請求項３に係る発明は、特定の生薬を、カルボキシベタイン、イミダゾリン誘導体、アミノカルボン酸塩、スルホベタイン、アミノベタイン、ジエチルラウリルアミンオキシド、ビスー（２−ヒドロキシエチル）ラウリルアミンオキシドの一種又は二種以上と、脂肪酸アルカノールアミド、ポリオキシエチレン脂肪酸アミド、アルカノールアミンのエステル、ポリオキシエチレンアルキルアミンの一種又は二種以上とを組み合わせて配合する養毛剤であるところ、上記甲号各証には、特定の二種の界面活性剤を組み合わせ使用することは記載されていないのであるから、訂正後の請求項３に係る発明は、いずれの上記甲号各証にも記載された発明とはいえないものである。
　つぎに、上記訂正により訂正後の請求項４に係る発明からは、イラクサ、サンショウ、シラカバ、ホコツシ及びハクヨウは、対象とする生薬から削除されたのであるから、訂正後の請求項４に係る発明は、いずれの上記甲号各証にも記載された発明とはいえないものである。
　さらに、上記訂正により訂正後の請求項５に係る発明は、訂正後の請求項４に係る発明をさらに技術的に限定するものであるから、訂正後の請求項４に係る発明に対するのと同様の理由により、いずれの上記甲号各証にも記載された発明とはいえない。
（特許法第２９条第２項について）
　上記訂正により、訂正後の請求項１に係る発明はイラクサ、サンショウ、シラカバ、ホコツシ及びハクヨウは、対象とする生薬から削除されたところ、上記甲号各証には、これら以外の生薬について具体的に記載するところがまったくないので、当業者が訂正後の請求項１に係る発明を容易に想到できるものとは認められない。
　訂正後の請求項２に係る発明は、特定の生薬を特定の二種の界面活性剤と組み合わせて配合するものであるところ、上記甲号各証にはこのように特定の二種の界面活性剤を組み合わせて配合することについては記載するところがない。　そして、訂正後の請求項２に係る発明は、このような構成を採用することにより、一種の界面活性剤を用いた場合に比べて、顕著な養毛効果を奏するものであるから、上記甲号各証に記載された発明を組み合わせても、当業者が容易に想到することはできないものである。
　なお、サンショウについては、養、育毛効果を有することが特許異議申立人Ｂの提出した甲第１号証に記載されているものの、特定の二種の界面活性剤を組み合わせて配合したときに、一種のみの界面活性剤を配合したときと比較して選りすぐれた養毛効果が得られることは、平成１２年６月８日付けの特許異議意見書における実験データからも明らかなところである。
　訂正後の請求項３に係る発明は、特定の生薬を、訂正後の請求項２とは異なる特定の二種の界面活性剤と組み合わせて配合するものであるから、訂正後の請求項２に係る発明に対するのと同様の理由により、当業者が上記甲号各証に記載された発明に基づいて容易に想到することはできないものである。
　訂正後の請求項４に係る発明は、イラクサ、サンショウ、シラカバ、ホコツシ及びハクヨウは、対象とする生薬から削除されたところ、上記甲号各証には、これら以外の生薬について具体的に記載するところがまったくないので、当業者が上記甲号各証に記載された発明に基づいて容易に想到することはできないものである。
　訂正後の請求項５に係る発明は、訂正後の請求項４をさらに技術的に限定するものであるから、上記と同様の理由により、甲号各証に記載された発明に基づいて当業者が容易に想到することはできないものである。
（特許法第３６条について）
　特許異議申立人Ｂは、甲第６号証及び甲第７号証を提出して、本件特許明細書に記載上の不備をいい、当業者が容易に実施できる程度に記載されていない、と主張するが、上記甲号証はいずれも医薬用途について言及したものであり、用途のまったく異なる本件とは直接関係のないものであり、育毛剤の発明としては、本件特許明細書の記載に基づいて当業者が容易に実施できる程度に記載されているものと認められる。
　したがって、特許異議申立人Ａ及びＢの主張はいずれも妥当でない。
エ.むすび
　以上のとおりであるから、特許異議申立ての理由及び提出した証拠によっては、本件請求項１〜５に係る発明についての特許を取り消すことはできない。
【異議決定日】
平成１２年６月２８日（２０００．６．２８）
【訂正の要旨】
訂正の要旨
訂正事項１：【特許請求の範囲】の【請求項１】の記載、「アオギリ、アンマロク、ウバイ、イラクサ、オオクリハラン、オオギ、オウロ、カッコン、グバク、ケイヒ、ゲドクシ、コソウ、ゴミン、コブシ、サンキュウ、テウチグルミ、セイコウ、サンショウ、ドクヨウイッシカ、ショウブ、ショウバク、シラカバ、ニレ、リョウキョウ、リュウヨウ、ヨチシ、ホコツシ、トウヨウ、ヒャクゴウ、レン、モクセイ、ハンミョウ、フヒョウ、マクワウリ、ハクコウ、ハンゲ、ハクショウ、ハクヨウからなる群から選ばれる生薬を、熱水、アルコール、含水アルコールから選ばれる溶媒で抽出して得られる抽出エキス又はその濃縮乾燥物の一種又は二種以上を含有してなる養毛料。」を、「アオギリ、アンマロク、ウバイ、オオクリハラン、オオギ、オウロ、カッコン、グバク、ケイヒ、ゲドクシ、コソウ、ゴミン、コブシ、サンキュウ、テウチグルミ、セイコウ、ドクヨウイッシカ、ショウブ、ショウバク、ニレ、リョウキョウ、リュウヨウ、ヨチシ、トウヨウ、ヒャクゴウ、レン、モクセイ、ハンミョウ、フヒョウ、マクワウリ、ハクコウ、ハンゲ、ハクショウからなる群から選ばれる生薬を、熱水、アルコール、含水アルコールから選ばれる溶媒で抽出して得られる抽出エキス又はその濃縮乾燥物の一種又は二種以上を含有してなる養毛料。」と訂正する。
訂正事項２：【特許請求の範囲】の【請求項２】の記載、「アオギリ、アンマロク、ウバイ、イラクサ、オオクリハラン、オオギ、オウロ、カッコン、グバク、ケイヒ、ゲドクシ、ゴカヒ、コソウ、ゴミン、コブシ、コノテガシワ、サンキュウ、チンピ、テウチグルミ、セイコウ、サンショウ、ドクヨウイッシカ、ショウブ、ショウバク、シラカバ、ニレ、リョウキョウ、リュウヨウ、ヨチシ、ホコツシ、トウヨウ、ヒャクゴウ、レン、モクセイ、ハンミョウ、フヒョウ、マクワウリ、ハクコウ、ハンゲ、ハクセン、ハクショウ、ハクヨウからなる群から選ばれる生薬を、熱水、アルコール、含水アルコールから選ばれる溶媒で抽出して得られる抽出エキス又はその濃縮乾燥物の一種又は二種以上と、・・・」を、「アオギリ、アンマロク、ウバイ、オオクリハラン、オオギ、オウロ、カッコン、グバク、ケイヒ、ゲドクシ、ゴカヒ、コソウ、ゴミン、コブシ、コノテガシワ、サンキュウ、チンピ、テウチグルミ、セイコウ、サンショウ、ドクヨウイッシカ、ショウブ、ショウバク、ニレ、リョウキョウ、リュウヨウ、ヨチシ、トウヨウ、ヒャクゴウ、レン、モクセイ、ハンミョウ、フヒョウ、マクワウリ、ハクコウ、ハンゲ、ハクセン、ハクショウからなる群から選ばれる生薬を、熱水、アルコール、含水アルコールから選ばれる溶媒で抽出して得られる抽出エキス又はその濃縮乾燥物の一種又は二種以上と、・・・」と訂正する。
訂正事項３：【特許請求の範囲】の【請求項３】の記載、「アオギリ、アンマロク、ウバイ、イラクサ、オオクリハラン、オオギ、オウロ、カッコン、グバク、ケイヒ、ゲドクシ、ゴカヒ、コソウ、ゴミン、コブシ、コノテガシワ、サンキュウ、チンピ、テウチグルミ、セイコウ、サンショウ、ドクヨウイッシカ、ショウブ、ショウバク、シラカバ、ニレ、リョウキョウ、リュウヨウ、ヨチシ、ホコツシ、トウヨウ、ヒャクゴウ、レン、モクセイ、ハンミョウ、フヒョウ、マクワウリ、ハクコウ、ハンゲ、ハクセン、ハクショウ、ハクヨウからなる群から選ばれる生薬を、熱水、アルコール、含水アルコールから選ばれる溶媒で抽出して得られる抽出エキス又はその濃縮乾燥物の一種又は二種以上と、・・・」を、「アオギリ、アンマロク、ウバイ、オオクリハラン、オオギ、オウロ、カッコン、グバク、ケイヒ、ゲドクシ、ゴカヒ、コソウ、ゴミン、コブシ、コノテガシワ、サンキュウ、チンピ、テウチグルミ、セイコウ、ドクヨウイッシカ、ショウブ、ショウバク、ニレ、リョウキョウ、リュウヨウ、ヨチシ、トウヨウ、ヒャクゴウ、レン、モクセイ、ハンミョウ、フヒョウ、マクワウリ、ハクコウ、ハンゲ、ハクセン、ハクショウからなる群がら選ばれる生薬を、熱水、アルコール、含水アルコールから選ばれる溶媒で抽出して得られる抽出エキス又はその濃縮乾燥物の一種又は二種以上と、・・・」と訂正する。
訂正事項項４：【特許請求の範囲】の【請求項４】の記載、「アオギリ、アンマロク、ウバイ、イラクサ、オオクリハラン、オオギ、オウロ、カッコン、グバク、ケイヒ、ゲドクシ、ゴカヒ、コソウ、ゴミン、コブシ、コノテガシワ、サンキュウ、チンピ、テウチグルミ、セイコウ、サンショウ、ドクヨウイッシカ、ショウブ、ショウバク、シラカバ、ニレ、リョウキョウ、リュウヨウ、ヨチシ、ホコツシ、トウヨウ、ヒャクゴウ、レン、モクセイ、ハンミョウ、フヒョウ、マクワウリ、ハクコウ、ハンゲ、ハクセン、ハクショウ、ハクヨウからなる群から選ばれる生薬抽出物の一種又は二種以上と、・・・」を、「アオギリ、アンマロク、ウバイ、オオクリハラン、オオギ、オウロ、カッコン、グバク、ケイヒ、ゲドクシ、ゴカヒ、コソウ、ゴミン、コブシ、コノテガシワ、サンキュウ、チンピ、テウチグルミ、セイコウ、ドクヨウイッシカ、ショウブ、ショウバク、ニレ、リョウキョウ、リュウヨウ、ヨチシ、トウヨウ、ヒャクゴウ、レン、モクセイ、ハンミョウ、フヒョウ、マクワウリ、ハクコウ、ハンゲ、ハクセン、ハクショウからなる群から選ばれる生薬抽出物の一種又は二種以上と、・・・」と訂正する。
訂正事項５：特許掲載公報第２８１４０８５号の第３頁第５欄第２３行〜第６欄第２行の「すなわち請求項１記載の発明は、アオギリ、アンマロク、ウバイ、イラクサ、オオクリハラン、オオギ、オウロ、カッコン、グバク、ケイヒ、ゲドクシ、コソウ、ゴミン、コブシ、サンキュウ、テウチグルミ、セイコウ、サンショウ、ドクヨウイッシカ、ショウブ、ショウバク、シラカバ、ニレ、リョウキョウ、リュウヨウ、ヨチシ、ホコツシ、トウヨウ、ヒャクゴウ、レン、モクセイ、ハンミョウ、フヒョウ、マクワウリ、ハクコウ、ハンゲ、ハクショウ、ハクヨウからなる群から選ばれる生薬を、熱水、アルコール、含水アルコールから選ばれる溶媒で抽出して得られる抽出エキス又はその濃縮乾燥物の一種又は二種以上を含有してなる養毛料である。」を、「すなわち請求項１記載の発明は、アオギリ、アンマロク、ウバイ、オオクリハラン、オオギ、オウロ、カッコン、グバク、ケイヒ、ゲドクシ、コソウ、ゴミン、コブシ、サンキュウ、テウチグルミ、セイコウ、ドクヨウイッシカ、ショウブ、ショウバク、ニレ、リョウキョウ、リュウヨウ、ヨチシ、トウヨウ、ヒャクゴウ、レン、モクセイ、ハンミョウ、フヒョウ、マクワウリ、ハクコウ、ハンゲ、ハクショウからなる群から選ばれる生薬を、熱水、アルコール、含水アルコールから選ばれる溶媒で抽出して得られる抽出エキス又はその濃縮乾燥物の一種又は二種以上を含有してなる養毛料である。」と訂正する。訂正事項６：特許掲載公報２８１４０８５号の第３頁第６欄第３行の「請求項２記載の発明は、請求項１記載の生薬の・・・」を、「請求項２記載の発明は、アオギリ、アンマロク、ウバイ、オオクリハラン、オオギ、オウロ、カッコン、グバク、ケイヒ、ゲドクシ、ゴカヒ、コソウ、ゴミン、コブシ、コノテガシワ、サンキュウ、チンピ、テウチグルミ、セイコウ、サンショウ、ドクヨウイッシカ、ショウブ、ショウバク、ニレ、リョウキョウ、リュウヨウ、ヨチシ、トウヨウ、ヒャクゴウ、レン、モクセイ、ハンミョウ、フヒョウ、マクワウリ、ハクコウ、ハンゲ、ハクセン、ハクショウからなる群から選ばれる生薬の・・・」と訂正する。
訂正事項７：特許掲載公報第２８１４０８５号の第３頁第６欄第１１行の「請求項３記載の発明は、請求項１記載の生薬の・・・」を、「請求項３記載の発明は、アオギリ、アンマロク、ウバイ、オオクリハラン、オオギ、オウロ、カッコン、グバク、ケイヒ、ゲドクシ、ゴカヒ、コソウ、ゴミン、コブシ、コノテガシワ、サンキュウ、チンピ、テウチグルミ、セイコウ、ドクヨウイッシカ、ショウブ、ショウバク、ニレ、リョウキョウ、リュウヨウ、ヨチシ、トウヨウ、ヒャクゴウ、レン、モクセイ、ハンミョウ、フヒョウ、マクワウリ、ハクコウ、ハンゲ、ハクセン、ハクショウからなる群から選ばれる生薬の・・・」と訂正する。
訂正事項８：特許掲載公報第２８１４０８５号の第３頁第６欄第２１行〜第３１行の「請求項４の発明は、アオギリ、アンマロク、ウバイ、イラクサ、オオクリハラン、オオギ、オウロ、カッコン、グバク、ケイヒ、ゲドクシ、ゴカヒ、コソウ、ゴミン、コブシ、コノテガシワ、サンキュウ、チンピ、テウチグルミ、セイコウ、サンショウ、ドクヨウイッシカ、ショウブ、ショウバク、シラカバ、ニレ、リョウキョウ、リュウヨウ、ヨチシ、ホコツシ、トウヨウ、ヒャクゴウ、レン、モクセイ、ハンミョウ、フヒョウ、マクワウリ、ハクコウ、ハンゲ、ハクセン、ハクショウ、ハクヨウからなる群から選ばれる生薬抽出物の一種又は二種以上と、・・・」を、「請求項４の発明は、アオギリ、アンマロク、ウバイ、オオクリハラン、オオギ、オウロ、カッコン、グバク、ケイヒ、ゲドクシ、ゴカヒ、コソウ、ゴミン、コブシ、コノテガシワ、サンキュウ、チンピ、テウチグルミ、セイコウ、ドクヨウイッシカ、ショウブ、ショウバク、ニレ、リョウキョウ、リュウヨウ、ヨチシ、トウヨウ、ヒャクゴウ、レン、モクセイ、ハンミョウ、フヒョウ、マクワウリ、ハクコウ、ハンゲ、ハクセン、ハクショウからなる群から選ばれる生薬抽出物の一種又は二種以上と、・・・」と訂正する。
訂正事項９：特許掲載公報第２８１４０８５号の第６頁第１１欄第２５行〜第２８行の「実施例５
（１）ジメチルステアリルアミンオキシド　　　　０．１
（２）ハクヨウのメタノール抽出物（乾燥物）　０．１　　　（３）７５％エタノール
　　　　残余」　　　　　　を削除する。
訂正事項１０：特許掲載公報２８１４０８５号の第６頁第１１欄第２９行の「実施例　６」を、「実施例　５」と訂正する。
訂正事項１１：特許掲載公報第２８１４０８５号の第６頁第１１欄第３３行〜第３７行の「実施例７
（１）ジメチルステアリルアミンオキシド　　　　　　　０．１
（２）ホコツシの１，３−ブチエングリコール抽出物（乾燥物）
　　　　　　　　　　　　　　　　　　　　　　　　　　０．１
（３）７５％エタノール　　　　　　　　　　　　　　残余」
を削除する。
訂正事項１２：特許掲載公報２８１４０８５号の第６頁第１１欄第３８行の「実施例　８」を、「実施例　６」と訂正する。
訂正事項１３：特許掲載公報２８１４０８５号の第６頁第１１欄第４３行の「実施例　９」を、「実施例　７」と訂正する。
訂正事項１４：特許掲載公報第２８１４０８５号の第６頁第１１欄第４８行〜第１２欄第２行の「実施例　１０
（１）ジメチルステアリルアミンオキシド　　　　０．０７５
（２）ラウリル硫酸ナトリウム　　　　　　　　　０．０２５
（３）シラカバの熱水抽出物（乾燥物）　　　　　０．１
（４）７５％エタノール　　　　　　　　　　　　残余」
を削除する。
訂正事項１５：特許掲載公報２８１４０８５号の第６頁第１２欄第３行の「実施例　１１」を、「実施例　８」と訂正する。
訂正事項１６：特許掲載公報２８１４０８５号の第６頁第１２欄第８行の「実施例　１２」を、「実施例　９」と訂正する。
訂正事項１７：特許掲載公報２８１４０８５号の第６頁第１２欄第１５行の「実施例　１３」を、「実施例　１０」と訂正する。
訂正事項１８：特許掲載公報２８１４０８５号の第６頁第１２欄第２３行の「実施例　１４」を、「実施例　１１」と訂正する。
訂正事項１９：特許掲載公報２８１４０８５号の第６頁第１２欄第３０行の「実施例　１５」を、「実施例　１２」と訂正する。
訂正事項２０：特許掲載公報２８１４０８５号の第６頁第１２欄第３７行の「実施例　１６」を、「実施例　１３」と訂正する。
訂正事項２１：特許掲載公報２８１４０８５号の第６頁第１２欄第４４行の「実施例　１７」を、「実施例　１４」と訂正する。
訂正事項２２：特許掲載公報２８１４０８５号の第７頁第１３欄第２行の「実施例　１８」を、「実施例　１５」と訂正する。
訂正事項２３：特許掲載公報２８１４０８５号の第７頁第１３欄第１０行の「実施例　１９」を、「実施例　１６」と訂正する。
訂正事項２４：特許掲載公報第２８１４０８５号の第７頁第１３欄第１８行の「表１・・・」を、　「
　　表−１　各試料の毛再生面積（２０日後）
　　　　試料　　　　毛再生面積
　　　比較例１　　　　　１０％
　　　比較例２　　　　　２０
　　　比較例３　　　　　１８
　　　比較例４　　　　　２３
　　　比較例５　　　　　１６
　　　実施例１　　　　　３０
　　　実施例２　　　　　３３
　　　実施例３　　　　　３９
　　　実施例４　　　　　４４
　　　実施例５　　　　　５０
　　　実施例６　　　　　５９
　　　実施例７　　　　　７１
　　　実施例８　　　　　７６
　　　実施例９　　　　　８８
　　　実施例１０　　　　９２
　　　実施例１１　　　　９４
　　　実施例１２　　　　９５
　　　実施例１３　　　　９３
　　　実施例１４　　　　９７
　　　実施例１５　　　　９５
　　　実施例１６　　　　９８　　」
と訂正する。
訂正事項２５：特許掲載公報第２８１４０８５号の第７頁第１３欄第４８行の「実施例　２０」を、「実施例　１７」と訂正する。
訂正事項２６：特許掲載公報第２８１４０８５号の第８頁第１５欄第５行の「実施例　２１」を、「実施例　１８」と訂正する。
訂正事項２７：特許掲載公報第２８１４０８５号の第８頁第１５欄第１９行の「実施例　２２」を、「実施例　１９」と訂正する。
訂正事項２８：特許掲載公報第２８１４０８５号の第８頁第１５欄第３４行から第１６欄第１行の「実施例　２３　リンス
（１）ステアリルトリメチルアンモニウムクロリド　　　　　　　　　　　１．５
（２）セチルアルコール　　　　　　　　　　　　　　　　　　　　　　　２．０
（３）シリコン油　　　　　　　　　　　　　　　　　　　　　　　　　　３．０
（４）ポリオキシエチレン（１０モル）　オレイルアルコールエーテル　　１．０
（５）グリセリン　　　　　　　　　　　　　　　　　　　　　　　　　　５．０
（６）ウバイのメタノール抽出物（乾燥物）　　　　　　　　　　　　　　０．５
（７）ハクセンのメタノール抽出物（乾燥物）　　　　　　　　　　　　　０．５
（８）ホコツシの熱水抽出物（乾燥物）　　　　　　　　　　　　　　　　１．０
（９）フヒョウの７０％エタノール抽出物（乾燥物）　　　　　　　　　　１．０
（１０）精製水　　　　　　　　　　　　　　　　　　　　　　　　　　８４．０
（１１）防腐剤　　　　　　　　　　　　　　　　　　　　　　　　　　　適量
（１２）紫外線吸収剤　　　　　　　　　　　　　　　　　　　　　　　　適量
」を削除する。
訂正事項２９：特許掲載公報２８１４０８５号の第８頁第１６欄第１４行の「実施例　２４」を「実施例　２０」と訂正する。
訂正事項３０：特許掲載公報２８１４０８５号の第８頁第１６欄第２９行の「実施例２１〜２４は、いずれも養毛効果に優れていた。」を「実施例１８〜２０は、いずれも養毛効果に優れていた。」と訂正する。
（５４）【発明の名称】
養毛料
（５７）【特許請求の範囲】
　　【請求項１】　アオギリ、アンマロク、ウバイ、オオクリハラン、オオギ、オウロ、カッコン、グバク、ケイヒ、ゲドクシ、コソウ、ゴミン、コブシ、サンキュウ、テウチグルミ、セイコウ、ドクヨウイツシカ、ショウブ、ショウバク、ニレ、リョウキョウ、リュウヨウ、ヨチシ、トウヨウ、ヒャクゴウ、レン、モクセイ、ハンミョウ、フヒョウ、マクワウリ、ハクコウ、ハンゲ、ハクショウからなる群から選ばれる生薬を、熱水、アルコール、含水アルコールから選ばれる溶媒で抽出して得られる抽出エキス又はその濃縮乾燥物の一種又は二種以上を含有してなる養毛料。
　　【請求項２】　アオギリ、アンマロク、ウバイ、オオクリハラン、オオギ、オウロ、カッコン、グバク、ケイヒ、ゲドクシ、ゴカヒ、コソウ、ゴミン、コブシ、コノテガシワ、サンキュウ、チンピ、テウチグルミ、セイコウ、サンショウ、ドクヨウイッシカ、ショウブ、ショウバク、ニレ、リョウキョウ、リュウヨウ、ヨチシ、トウヨウ、ヒャクゴウ、レン、モクセイ、ハンミョウ、フヒョウ、マクワウリ、ハクコウ、ハンゲ、ハクセン、ハクショウからなる群から選ばれる生薬を、熱水、アルコール、含水アルコールから選ばれる溶媒で抽出して得られる抽出エキス又はその濃縮乾燥物の一種又は二種以上と、カルボン酸基、スルホン酸基、硫酸エステル基、リン酸エステル基を分子内に一種又は二種以上有するアニオン性界面活性剤の一種又は二種以上と、窒素原子を分子内に有する両性界面活性剤、半極性界面活性剤、非イオン性界面活性剤、カチオン性界面活性剤の一種又は二種以上とを含有することを特徴とする養毛料。
　　【請求項３】　アオギリ、アンマロク、ウバイ、オオクリハラン、オオギ、オウロ、カッコン、グバク、ケイヒ、ゲドクシ、ゴカヒ、コソウ、ゴミン、コブシ、コノテガシワ、サンキュウ、チンピ、テウチグルミ、セイコウ、ドクヨウイッシカ、ショウブ、ショウバク、ニレ、リョウキョウ、リュウヨウ、ヨチシ、トウヨウ、ヒャクゴウ、レン、モクセイ、ハンミョウ、フヒョウ、マクワウリ、ハクコウ、ハンゲ、ハクセン、ハクショウからなる群から選ばれる生薬を、熱水、アルコール、含水アルコールから選ばれる溶媒で抽出して得られる抽出エキス又はその濃縮乾燥物の一種又は二種以上と、カルボキシベタイン、イミダゾリン誘導体、アミノカルボン酸塩、スルホベタイン、アミノベタイン、ジメチルラウリルアミンオキシド、ビス−（２−ヒドロキシエチル）ラウリルアミンオキシドの一種又は二種以上と、脂肪酸アルカノールアミド、ポリオキシエチレン脂肪酸アミド、アルカノールアミンのエステル、ポリオキシエチレンアルキルアミンの一種又は二種以上とを含有することを特徴とする養毛料。
　　【請求項４】　アオギリ、アンマロク、ウバイ、オオクリハラン、オオギ、オウロ、カッコン、グバク、ケイヒ、ゲドクシ、ゴカヒ、コソウ、ゴミン、コブシ、コノテガシワ、サンキュウ、チンピ、テウチグルミ、セイコウ、ドクヨウイッシカ、ショウブ、ショウバク、ニレ、リョウキョウ、リュウヨウ、ヨチシ、トウヨウ、ヒヤクゴウ、レン、モクセイ、ハンミョウ、フヒョウ、マクワウリ、ハクコウ、ハンゲ、ハクセン、ハクショウからなる群から選ばれる生薬抽出物の一種又は二種以上と、一般式（Ａ）
（式中Ｒ１、Ｒ２及びＲ３は炭素原子数１から２の直鎖又は分枝の飽和又は不飽和の炭化水素基を表し、Ｒ１、Ｒ２、Ｒ３のうち少なくとも１個は炭素原子数８以上の直鎖又は分枝の飽和又は不飽和の炭化水素基を表す。）、一般式（Ｂ）
（式中Ｒ４は炭素原子数８から２４の直鎖又は分枝の飽和又は不飽和の炭化水素基を表す。）又は一般式（Ｃ）
　（式中Ｒ５は炭素原子数８ら２４の直鎖又は分枝の飽和又は不飽和の炭化水素基を表し、ｎは１から５の整数を表す。）で表されるアミンオキシドの一種又は二種以上とを含有することを特徴とする養毛料。
　　【請求項５】　前記生薬抽出物は、前記群から選ばれる生薬を、熱水、アルコール、含水アルコールから選ばれる溶媒で抽出して得られる抽出エキス又はその濃縮乾燥物であることを特徴とする請求項４に記載の養毛料。
【発明の詳細な説明】
［産業上の利用分野］
　本発明は、新規にして、かつ安全な生薬抽出物または、生薬抽出物と界面活性剤とを含有することにより、脱毛防止、発毛、育毛などを促進する効果に優れた養毛料に関するものである。
［従来の技術］
　従来より、各種薬剤を配合した養毛料が知られている。例えば、ビタミンＢ等のビタミン類、メチオニンなどのアミノ酸類、アセチルコリン誘導体などの血管拡張剤、紫根エキスなどの抗炎症剤、エストラジオールなどの女性ホルモン剤、セファランチンなどの皮膚機能元進剤などが配合され、脱毛症の予防及び治療に用いられている。
　しかしながら、従来の養毛料はフケ、カユミ、脱毛などの予防及び改善に有効で、発育や育毛を促進するとされているが、いまだ満足すべき効果を発揮するものは得られていない。
［発明が解決しようとする課題］
　本発明者らは脱毛防止、発毛等に有効で、安全性に優れた養毛料について、鋭意研究した結果、特定の生薬抽出物の一種または二種以上、またはこれら特定の生薬抽出物の一種または二種以上と、特定の界面活性剤とを含有することによりこの課題を解決しうることを見出し、本発明を完成するに至った。
［課題を解決するための手段］
　すなわち請求項１記載の発明は、アオギリ、アンマロク、ウバイ、オオクリハラン、オオギ、オウロ、カツコン、グバク、ケイヒ、ゲドクシ、コソウ、ゴミシ、コブシ、サンキュウ、テウチグルミ、セイコウ、ドクヨウイッシカ、ショウブ、ショウバク、ニレ、リョウキョウ、リュウヨウ、ヨチシ、トウヨウ、ヒャクゴウ、レン、モクセイ、ハンミョウ、フヒョウ、マクワウリ、ハクコウ、ハンゲ、ハクショウからなる群から選ばれる生薬を、熱水、アルコール、含水アルコールから選ばれる溶媒で抽出して得られる抽出エキス文はその濃縮乾燥物の一種又は二種以上を含有してなる養毛料である。
　請求項２記載の発明は、アオギリ、アンマロク、ウバイ、オオクリハラン、オオギ、オウロ、カッコン、グバク、ケイヒ、ゲドクシ、ゴカヒ、コソウ、ゴミン、コブシ、コノテガシワ、サンキュウ、チンピ、テウチグルミ、セイコウ、サンショウ、ドクヨウイッシカ、ショウブ、ショウバク、ニレ、リョウキョウ、リュウヨウ、ヨチシ、トウヨウ、ヒャクゴウ、レン、モクセイ、ハンミョウ、フヒョウ、マクワウリ、ハクコウ、ハンゲ、ハクセン、ハクショウからなる群から選ばれる生薬の抽出エキス又はその濃縮乾燥物の一種又は二種以上と、カルボン酸基、スルホン酸基、硫酸エステル基、リン酸エステル基を分子内に一種又は二種以上有するアニオン性界面活性剤の一種又は二種以上と、窒素原子を分子内に有する両性界面活性剤、半極性界面活性剤、非イオン性界面活性剤、カチオン性界面活性剤の一種又は二種以上とを含有することを特徴とする養毛料である。
　請求項３記載の発明は、アオギリ、アンマロク、ウバイ、オオクリハラン、オオギ、オウロ、カッコン、グバク、ケイヒ、ゲドクシ、ゴカヒ、コソウ、ゴミン、コブシ、コノテガシワ、サンキュウ、チンピ、テウチグルミ、セイコウ、ドクヨウイッシカ、ショウブ、ショウバク、ニレ、リョウキョウ、リュウヨウ、ヨチシ、トウヨウ、ヒャクゴウ、レン、モクセイ、ハンミョウ、フヒョウ、マクワウリ、ハクコウ、ハンゲ、ハクセン、ハクショウからなる群から選ばれる生薬の抽出エキス又はその濃縮乾燥物の一種又は二種以上と、カルボキシベタイン、イミダゾリン誘導体、アミノカルボン酸塩、スルホベタイン、アミノベタイン、ジメチルラウリルアミンオキシド、ビス−（２−ヒドロキシエチル）ラウリルアミンオキシドの一種又は二種以上と、脂肪酸アルカノールアミド、ポリオキシエチレン脂肪酸アミド、アルカノールアミンのエステル、ポリオキシエチレンアルキルアミンの一種又は二種以上とを含有することを特徴とする養毛料である。
　請求項４の発明は、アオギリ、アンマロク、ウバイ、オオクリハラン、オオギ、オウロ、カッコン、グバク、ケイヒ、ゲドクシ、ゴカヒ、コソウ、ゴミン、コブシ、コノテガシワ、サンキュウ、チンピ、テウチグルミ、セイコウ、ドクヨウイッシカ、ショウブ、ショウバク、ニレ、リョウキョウ、リュウヨウ、ヨチシ、トウヨウ、ヒャクゴウ、レン、モクセイ、ハンミョウ、フヒョウ、マクワウリ、ハクコウ、ハンゲ、ハクセン、ハクショウからなる群から選ばれる生薬の抽出物の一種又は二種以上と、一般式（Ａ）
（式中Ｒ１、Ｒ２及びＲ３は炭素原子数１から２の直鎖又は分枝の飽和又は不飽和の炭化水素基を表し、Ｒ１、Ｒ２、Ｒ３のうち少なくとも１個は炭素原子数８以上の直鎖又は分枝の飽和又は不飽和の炭化水素基を表す。）、一般式（Ｂ）
（式中Ｒ４は炭素原子数８から２４の直鎖又は分枝の飽和又は不飽和の炭化水素基を表す。）又は一般式（Ｃ）
　（式中Ｒ５は炭素原子数８ら２４の直鎖又は分枝の飽和又は不飽和の炭化水素基を表し、ｎは１から５の整数を表す。）で表されるアミンオキシドの一種又は二種以上とを含有することを特徴とする養毛料である。
　請求項５記載の発明は、請求項において生薬抽出物が、前記群から選ばれる生薬を、熱水、アルコール、含水アルコールから選ばれる溶媒で抽出して得られる抽出エキス又はその濃縮乾燥物であることを特徴とする養毛料である。
　以下、本発明の構成について詳述する。
　請求項１〜３又は５記載の生薬の抽出物は、生薬を熱水、アルコール、含水アルコールから選ばれる溶媒で抽出して得られる抽出エキス又はその濃縮乾燥物である。また請求項４記載の生薬の抽出物の抽出方法は特に限定されないが、上記のものが好ましい。アルコールや含水アルコールとしては、メタノール、エタノール等の低級アルコールや含水低級アルコール、プロピレングリコール、１−３ブチレングリコール等の多価アルコールや含水多価アルコールが挙げられる。
　本発明における生薬抽出物の配合量は、養毛料全量中、乾燥物として０．００５〜１０重量％、好ましくは０．０１〜５重量％である。０．００５重量％未満であると、本発明でいう効果が十分に発揮されず、好ましくない。
　請求項２記載のカルボン酸基、スルホン酸基、硫酸エステル基、リン酸エステル基を分子内に一種又は二種以上有するアニオン性界面活性剤としては、次のものが挙げられる。カルボン酸基を有するものとしては脂肪酸セッケン、エーテルカルボン酸及びその塩、アミノ酸と脂肪酸の縮合物等のカルボン酸塩等が挙げられる。スルホン酸基を有するものとしては、アルキルスルホン酸塩、スルホコハク酸、エステルスルホン酸塩、アルキルアリル及びアルキルナフタレンスルホン酸塩、Ｎ−アシルスルホン酸塩、ホルマリン縮合系スルホン酸塩等が挙げられる。硫酸エステル基を有するものとしては、硫酸化油、エステル硫酸塩、アルキル硫酸塩、エーテル硫酸塩、アルキルアリルエーテル硫酸塩、アミド硫酸塩等が挙げられる。リン酸エステル基を有するものとしては、アルキルリン酸塩、アミドリン酸塩、エーテルリン酸塩、アルキルアリルエーテルリン酸塩等が挙げられる。これらの中から一種又は二種以上が任意に選択される。
　請求項２記載の窒素原子を分子内に有する両性界面活性剤、半極性界面活性剤、非イオン性界面活性剤、カチオン性界面活性剤としては、次のものが挙げられる。両性界面活性剤としては、Ｎ，Ｎ−ジメチル−Ｎ−ラウリル−Ｎ−カルボキシメチルアンモニウムベタイン、Ｎ，Ｎ−ジメチル−Ｎ−オレイル−Ｎ−カルボキシメチルアンモニウムベタイン等のカルボキシベタイン、２−ラウリル−Ｎ−カルボキシエチル−Ｎ−ヒドロキシエチルイミダゾリニウムベタイン、２−ラウリル−Ｎ−カルボキシメチル−Ｎ−ヒドロキシエチルイミダゾリニウムベタイン等のイミダゾリン誘導体、Ｎ−ヤシアルキル−β−アミノプロピオン酸ソーダ塩、Ｎ−ヤシアルキル−β−イミノジプロピオン酸−ジ−ソーダ塩等のアミノカルボン酸塩、スルホベタイン、アミノベタイン等が挙げられる。半極性界面活性剤としては、ジメチルラウリルアミンオキシド、ビス−（２−ヒドロキシエチル）ラウリルアミンオキシド等が挙げられる。非イオン性界面活性剤としては、脂肪酸アルカノールアミド、ポリオキシエチレン脂肪酸アミド、アルカノールアミンのエステル、ポリオキシエチレンアルキルアミン等が挙げられる。カチオン性界面活性剤としては、脂肪酸アミン塩、アルキル四級アンモニウム塩、芳香族四級アンモニウム塩、ピリジウム塩、イミダゾリウム塩等が挙げられる。これらの中から一種又は二種以上が任意に選択される。
　請求項３記載のカルボキシベタインとしては、Ｎ，Ｎ−ジメチル−Ｎ−ラウリル−Ｎ−カルボキシメチルアンモニウムベタイン、Ｎ，Ｎ−ジメチル−Ｎ−オレイル−Ｎ−カルボキシメチルアンモニウムベタイン等が挙げられ、イミダゾリン誘導体としては、２−ラウリル−Ｎ−カルボキシエチル−Ｎ−ヒドロキシエチルイミダゾリニウムベタイン、２−ラウリル−Ｎ−カルボキシメチル−Ｎ−ヒドロキシエチルイミダゾリニウムベタイン等が挙げられ、アミノカルボン酸塩としては、Ｎ−ヤシアルキル−β−アミノプロピオン酸ソーダ塩、Ｎ−ヤシアルキル−β−イミノジプロピオン酸−ジ−ソーダ塩等が挙げられる。
　請求項４記載の一般式（Ａ）で表されるアミンオキシドの具体例としては、ジメチルラウリルアミンオキシド、ジメチルミリスチルアミンオキシド、ジメチルセチルアミンオキシド、ジメチルステアリルアミンオキシド、ジメチルオレイルアミンオキシド、ジメチルベヘニルアミンオキシド、メチルジラウリルアミンオキシド等が挙げられる。
　請求項４記載の発明においては、一般式（Ａ）、（Ｂ）又は（Ｃ）で表されるアミンオキシドの一種又は二種以上が任意に選択され、用いられる。
　請求項２記載のアニオン性界面活性剤と窒素原子を分子内に有する両性界面活性剤、半極性界面活性剤、非イオン性界面活性剤又はカチオン性界面活性剤との合計配合量は、養毛料全量中０．００１〜１０重量％が好ましく、さらに好ましくは０．０１〜５重量％である。また、アニオン性界面活性剤と窒素原子を分子内に有する両性界面活性剤、半極性界面活性剤、非イオン性界面活性剤又はカチオン性界面活性剤との割合は、分子比で２０：１〜１：２０が好ましく、さらに好ましく１０：１〜１：１０である。
　請求項３記載のカルボキシベタイン、イミダゾリン誘導体、アミノカルボン酸塩、スルホベタイン、アミノベタイン、ジメチルラウリルアミンオキシド、ビス−（２−ヒドロキシエチル）ラウリルアミンオキシドの一種又は二種以上と、脂肪酸アルカノールアミド、ポリオキシエチルン脂肪酸アミド、アルカノールアミンのエステル、ポリオキシエチレンアルキルアミンの一種又は二種以上との合計配合量は、養毛料全量中０．００１〜１０重量％が好ましく、さらに好ましくは０．０１〜５重量％である。また、カルボキシベタイン、イミダゾリン誘導体、アミノカルボン酸塩、スルホベタイン、アミノベタイン、ジメチルラウリルアミンオキシド、ビス−（２−ヒドロキシエチル）ラウリルアミンオキシドの一種又は二種以上と、脂肪酸アルカノールアミド、ポリオキシエチレン脂肪酸アミド、アルカノールアミンのエステル、ポリオキシエチレンアルキルアミンの一種又は二種以上との割合は、分子比で２０：１〜１：２０が好ましく、さらに好ましくは１０：１〜１：１０である。
　請求項４記載の一般式（Ａ）、（Ｂ）又は（Ｃ）で表されるアミンオキシドの配合量は、養毛料全量中の０．０００１〜２０重量％が好ましい。配合量が０．０００１重量％未満では十分な養毛効果が得られず、２０重量％を越えると製剤上又は皮膚刺激の上からも好ましくない。
　本発明に係る養毛料には、上記必須成分のほかに、通常養毛料に用いられる汎用成分、例えばビタミンＢ６、ビタミンＥ及びその誘導体、ビオチン等のビタミン類、パントテン酸及びその誘導体、グリチルレチン酸及びその誘導体、ニコチン酸ベンジル等のニコチン酸エステル類、サイクロスポリン酸、塩化カルプロニウム、セファランチン、オキセンドロン、ジアゾキシド、ミノキシジル、エチニルエストラジオールなどの発毛剤又は発毛助剤、ヒノキチオール、ヘキサクロロフェン、フェノール、ベンザルコニウムクロリド、セチルピリジニウムクロリド、ウンデシレン酸、トリクロロカルバニリド及びビチオノールなどの抗菌剤、メントールなどの清涼剤、サリチル酸、亜鉛及びその誘導体、乳酸及びそのアルキルエステルなどの薬剤、クエン酸等の有機酸類、アルギニン等のアミノ酸類、オリーブ油、スクワラン、流動パラフィン、イソプロピルミリステート、高級脂肪酸、高級アルコールなどの油分、グリセリン、プロピレングリコール等の多価アルコール、香料、酸化防止剤、紫外線吸収剤、色素、エタノール、ベンジルアルコール、イソプロピルアルコール等のアルコール類、水、保湿剤、増粘剤などが本発明の効果を損なわない範囲で適宜配合することができる。
　本発明の養毛料は、液状、乳液、軟膏、クリーム、ゲル、エアゾールなど外皮に適用できる剤型のものであればいずれでもよく、トニック、コンディショナー、スカルプトリートメント、シャンプー、リンスなどの形態で用いられる。
［実施例］
　次に、実施例により本発明について詳細に説明する。本発明はこれらに限定されるものではない。配合量は重量％である。
育毛効果の測定法（マウスでの育毛効果測定）
雄のＣ３Ｈマウス（生後６０日）を用い、小川らの方法［Ｎｏｒｍａｌ　ａｎｄ　Ａｂｎｏｒｍａｌ　Ｅｐｉｄｅｒｍａｌ　Ｄｉｆ−ｆｅｒｅｎｔｉａｔｉｏｎ）Ｍ．Ｓｅｉｊｉ　ａｎｄ　Ｉ．Ａ．Ｂｅｒｎｓｔｅｉｎ編集東大出版会］に従い実験を行なった。すなわち、マウスの背部毛を約２×４ｃｍの大きさに剃り、翌日より１日１回ずつ連日サンプル塗布を行ない、毛再生が始まった部分の面積比の変化を求め、毛再生の早さの比較を行なった。サンプルは各生薬抽出液の乾燥物を７５％エタノールに撹搾溶解し、これに界面活性剤を添加、溶解しサンプルとした。
試験には対照として７５％エタノールを用いた。各試料ともマウス１０匹ずつを用い、その変化率の平均値を求めた。２０日後毛再生面積の結果を百分率にて表−１に示した。
比較例　１
　（１）７５％エタノール　　　　　　　　　　　　　　　　　　　１００
比較例　２
　（１）センブリの５０％エタノール抽出物（乾燥物）　　　　　　　　０．２
　（２）７５％エタノール　　　　　　　　　　　　　　　　　　　　　残余
比較例　３
　（１）トウキの７０％エタノール抽出物（乾燥物）　　　　　　　　　０．２
　（２）７５％エタノール　　　　　　　　　　　　　　　　　　　　　残余
比較例　４
　（１）クジン５０％エタノール抽出物（乾燥物）　　　　　　　　　　０．２
　（２）７５％エタノール　　　　　　　　　　　　　　　　　　　　　残余
比較例　５　　　　　　　　　　　　　　
　（１）チクセツニンジンの５０％エタノール抽出物（乾燥物）　　　　０．２
　（２）７５％エタノール　　　　　　　　　　　　　　　　　　　　　残余
実施例　１
　（１）アオギリの５０％エタノール抽出物（乾燥物）　　　　　　　　０．２
　（２）７５％エタノール　　　　　　　　　　　　　　　　　　　　　残余
実施例　２
　（１）ハクコウの７０％エタノール抽出物（乾燥物）　　　　　　　　０．２
　（２）７５％エタノール　　　　　　　　　　　　　　　　　　　　　残余
実施例　３
　（１）モクセイの５０％エタノール抽出物（乾燥物）　　　　　　　　０．２
　（２）７５％エタノール　　　　　　　　　　　　　　　　　　　　　残余
実施例　４
　（１）ジメチルラウリルアミンオキシド　　　　　　　　　　　　　　０．１
　（２）アオギリの５０％エタノール抽出物（乾燥物）　　　　　　　　０．１
　（３）７５％エタノール　　　　　　　　　　　　　　　　　　　　　残余
実施例　５
　（１）ジメチルラウリルアミンオキシド　　　　　　　　　　　　　　０．１
　（２）モクセイの５０％エタノール抽出物（乾燥物）　　　　　　　　０．１
　（３）７５％エタノール　　　　　　　　　　　　　　　　　　　　　残余
実施例　６
　（１）ドデシルベンゼンスルホネート　　　　　　　　　　　　　　　０．０５
　（２）ラウリルジメチルアミンオキシド　　　　　　　　　　　　　　０．０５
　（３）ハクコウの７０％エタノール抽出物（乾燥物）　　　　　　　　０．１
　（４）７５％エタノール　　　　　　　　　　　　　　　　　　　　　残余
実施例　７
　（１）ラウリル硫酸ナトリウム　　　　　　　　　　　　　　　　　　０．０４
　（２）ジメチルラウリルアミンオキシド　　　　　　　　　　　　　　０．０６
　（３）ヨチシのエタノール抽出物（乾燥物）　　　　　　　　　　　　０．１
　（４）７５％エタノール　　　　　　　　　　　　　　　　　　　　　残余
実施例　８
（１）ジメチルステアリルアミンオキシド　　　　　　　　　　　　　　０．１５
（２）モノナトリウムラウリルフォスフェート　　　　　　　　　　　　０．０５
（３）ケイヒの７０％エタノール抽出物（乾燥物）　　　　　　　　　　０．０５
（４）７５％エタノール　　　　　　　　　　　　　　　　　　　　　　残余
実施例　９
（１）ジメチルステアリルアミンオキシド　　　　　　　　　　　　　　０．０３
（２）ラウリルメチルタウリンナトリウム　　　　　　　　　　　　　　０．０２
（３）オオクリハランのメタノール抽出物（乾燥物）　　　　　　　　　０．１
（４）リョウキョウの熱水抽出物（乾燥物）　　　　　　　　　　　　　０．０５
（５）７５％エタノール　　　　　　　　　　　　　　　　　　　　　　残余
実施例　１０
（１）ラウリルアミノ酢酸ベタイン　　　　　　　　　　　　　　　　　０．０３
（２）ラウロイルジエタノールアミド　　　　　　　　　　　　　　　　０．０２
（３）ハンゲの７０％エタノール抽出物（乾燥物）　　　　　　　　　　０．０５
（４）フヒョウのメタノール抽出物（乾燥物）　　　　　　　　　　　　０．０５
（５）テウチグルミのプロパノール抽出物（乾燥物）　　　　　　　　　０．０５
（４）７５％エタノール　　　　　　　　　　　　　　　　　　　　　　残余
実施例　１１
（１）ジメチルラウリルアミンオキシド　　　　　　　　　　　　　　　０．０４
（２）モノナトリウムラウリルフォスフェート　　　　　　　　　　　　０．０１
（３）クバクの７０％エタノール抽出物（乾燥物）　　　　　　　　　　０．０５
（４）チンピのメタノール抽出物（乾燥物）　　　　　　　　　　　　　０．０５
（５）グカヒのプロパノール抽出物（乾燥物）　　　　　　　　　　　　０．０５
（６）７５％エタノール　　　　　　　　　　　　　　　　　　　　　　残余
実施例　１２
（１）ジメチルラウリルアミンオキシド　　　　　　　　　　　　　　　０．０３
（２）ラウリルメチルタウリンナトリウム　　　　　　　　　　　　　　０．０２
（３）ウバイの７０％エタノール抽出物（乾燥物）　　　　　　　　　　０．０５
（４）アンマロクのメタノール抽出物（乾燥物）　　　　　　　　　　　０．０５
（５）オオギのプロパノール抽出物（乾燥物）　　　　　　　　　　　　０．０５
（６）７５％エタノール　　　　　　　　　　　　　　　　　　　　　　残余
実施例　１３
（１）ラウリルアミノ酢酸ベタイン　　　　　　　　　　　　　　　　　０．０３
（２）ラウロイルジエタノールアミド　　　　　　　　　　　　　　　　０．０２
（３）イラクサの７５％エタノール抽出物（乾燥物）　　　　　　　　　０．０５
（４）ゲドクシのメタノール抽出物（乾燥物）　　　　　　　　　　　　０．０５
（５）ハクセンのプロパノール抽出物（乾燥物）　　　　　　　　　　　０．０５
（６）７５％エタノール　　　　　　　　　　　　　　　　　　　　　　残余
実施例　１４
（１）ジメチルオレイルアミンオキシド　　　　　　　　　　　　　　　０．０３
（２）ラウロイルジエタノールレアミド　　　　　　　　　　　　　　　０．０２
（３）マクワウリの７０％エタノール抽出物（乾燥物）　　　　　　　　０．０５
（４）ハクショウのメタノール抽出物（乾燥物）　　　　　　　　　　　０．０５
（５）ヒャクゴウのプロパノール抽出物（乾燥物）　　　　　　　　　　０．０５
（６）７５％エタノール　　　　　　　　　　　　　　　　　　　　　　残余
実施例　１５
（１）ジメチルラウリルアミンオキシド　　　　　　　　　　　　　　　０．０５
（２）ラウリル硫酸ナトリウム　　　　　　　　　　　　　　　　　　　０．０１
（３）サンキュウの７０％エタノール抽出物（乾燥物）　　　　　　　　０．０４
（４）サンショウのメタノール抽出物（乾燥物）　　　　　　　　　　　０．０５
（５）ジョウブのプロパノール抽出物（乾燥物）　　　　　　　　　　　０．０５
（６）７５％エタノール　　　　　　　　　　　　　　　　　　　　　　残余
実施例　１６
（１）ジメチルオレイルアミンオキシド　　　　　　　　　　　　　　　０．０６
（２）モノナトリウムラウリルグルタメート　　　　　　　　　　　　　０．０１
（３）トウヨウの７０％エタノール抽出物（乾燥物）　　　　　　　　　０．０４
（４）セイコウのメタノール抽出物（乾燥物）　　　　　　　　　　　　０．０４
（５）コノテガシワのプロパノール抽出物（乾燥物）　　　　　　　　　０．０５
（６）７５％エタノール　　　　　　　　　　　　　　　　　　　　　　残余
　表−１から明らかなように各実施例において毛の再生に対する効果が認められた。
実施例１７　ヘアートニック
　以下に示す組成のトニックを調製して実使用にてフケ、発毛、脱毛等の症状に対する効果を検討した。
　フケ、発毛、脱毛等の症状を呈する２０名の男性（年齢２４〜６０才）に１日１〜２回、１〜５ｍ１ずつ４ヵ月にわたって塗布し、表−２の結果を得た。フケ、発毛及び脱毛等の症状に優れていた。
（１）オウロの７０％エタノール抽出物（乾燥物）　　　　　　　０．０５
（２）カッコンの９０％エタノール抽出物（乾燥物）　　　　　　１．０
（３）ゴミシのメタノール抽出物（乾燥物）　　　　　　　　　　０．５
（４）ジメチルラウリルアミンオキシド　　　　　　　　　　　　０．３
（５）ラウリル硫酸ナトリウム　　　　　　　　　　　　　　　　０．０５
（６）プロピレングリコール　　　　　　　　　　　　　　　　　５．０
（７）ヒアルロン酸ナトリウム
（８）７５％エタノール
　前記の表−２においては下記基準により効果判定を行った。
１．フケ防止効果テスト
　「無効」とは治療にも拘らず何らの改善もみられないもの。
　「有効」とはフケの発生が減少したもの。
　「著効」とはフケの発生が止まったもの。
２．発毛効果テスト
　「無効」とは治療にも拘らず何らの改善もみられないもの。
　「有効」とは脱毛部の２／３以上に毛の新生が認められるもの。
　「著効」とは脱毛部に毛が生えそろったもの。
３．脱毛効果テスト
　「無効」とは治療にも拘らず何らの改善もみられないもの。
　「有効」とは脱毛の進行が減少したもの。
　「著効」とは脱毛が止まったもの。
実施例１８　ヘアートニック
（１）コブシのメタノール抽出物（乾燥物）　　　　　　　　　　　　　０．０５
（２）コノテガシワの８０％エタノール抽出物（乾燥物）　　　　　　　０．０５
（３）コソウの１，３−ブチレングリコール抽出物（乾燥物）　　　　　０．０５
（４）ショウバクの９０％エタノール抽出物（乾燥物）　　　　　　　　０．０５
（５）ドクヨウイッシカの熱水抽出物（乾燥物）　　　　　　　　　　　０．０５
（６）ニレの７０％エタノール抽出物（乾燥物）　　　　　　　　　　　０．０５
（７）ポリオキシエチレン（８モル）オレイルアルコールエーテル　　　０．０５
（８）１，３−ブチレングリコール　　　　　　　　　　　　　　　　　０．０５
（９）６０％エタノール　　　　　　　　　　　　　　　　　　　　　　残余
実施例１９　シャンプー
（１）ココイルメチルタウリンナトリウム　　　　　　　　　　　　　　６．０
（２）ラウリルジメチルアミノ酢酸ベタイン　　　　　　　　　　　　　８．０
（３）ラウリン酸ジエタノールアミド　　　　　　　　　　　　　　　　４．０
（４）エチレングリコール脂肪酸エステル　　　　　　　　　　　　　　１．５
（５）プロピレングリコール　　　　　　　　　　　　　　　　　　　　２．０
（６）リュウヨウの７０％エタノール抽出物（乾燥物）　　　　　　　　１．０
（７）レンの５０％エタノール抽出物（乾燥物）　　　　　　　　　　　１．０
（８）ハンミョウのメタノール抽出物（乾燥物）　　　　　　　　　　　１．０
（９）アオギリのプロピレングリコール抽出物（乾燥物）　　　　　　　０．２
（１０）エデト酸２ナトリウム　　．　　　　　　　　　　　　　　　　０．１
（１１）香料　　　　　　　　　　　　　　　　　　　　　　　　　　　適量
（１２）精製水　　　　　　　　　　　　　　　　　　　　　　　　　　残部
実施例２０　ヘアクリーム
（１）ミツロウ　　　　　　　　　　　　　　　　　　　　　　　　　　３．０
（２）ワセリン　　　　　　　　　　　　　　　　　　　　　　　　　１５．０
（３）流動パラフィン　　　　　　　　　　　　　　　　　　　　　　４２．０
（４）ポリオキシエチレン（５モル）ステアリン酸エステル　　　　　　３．０
（５）ポリオキシエチレン（６モル）オレイルアルコールエーテル　　　１．０
（６）ゴカヒの９０％プロパノール抽出物（乾燥物）　　　　　　　　　０．３
（７）リョウキョウの５０％メタノール抽出物（乾燥物）　　　　　　　０．２
（８）チンピの７０％エタノール抽出物（乾燥物）　　　　　　　　　　０．４
（９）精製水　　　　　　　　　　　　　　　　　　　　　　　　　　３５．１
（１０）香料　　　　　　　　　　　　　　　　　　　　　　　　　　　適量
（１１）防腐剤　　　　　　　　　　　　　　　　　　　　　　　　　　適量
　実施例１８〜２０は、いずれも養毛効果に優れていた。
［発明の効果］
　本発明の養毛料は、特定の生薬抽出物または、特定の生薬抽出物と特定の界面活性剤とを含有することにより、従来の養毛料よりも著しく優れた各種の性質（例えば、発毛、育毛、脱毛防止効果等）を示す。